(57)【要約】【目的】  簡単な構成でドアを緩衝的に最後までキチンと閉じるドアクローザ装置を提供する。【構成】  折畳み自在なリンク１を形成し、第１リンク１Ａの先端をドア２又は框６の一方に枢支し、第２リンク１Ｂの先端にリンク１を伸ばす方向にテンションをかける駆動手段３を連係すると共に、この駆動手段３と逆向きの抵抗を生ずる緩衝手段４を併せて第２リンク１Ｂの先端に連係し、リンク１が略への字状に折曲した状態でロックされるストッパ５を配設し、他方、ドア２と框６の残りにリンク１の枢支部１Ｃが当接離脱自在なガイド７を装着して、枢支部１Ｃへのリンク１を伸ばす方向の衝撃でストッパ５が解除されるように連係し、かつ、その際に移動子１０が回動自在にガイド７に枢支されると共に、ストッパ５によりリンク１が略への字状にロックされた状態で移動子１０がガイド７より離脱可能として、所期の目的を達成させるようにした。【選択図】  図１
2009108653.tif 000002
【特許請求の範囲】
【請求項１】
第１及び第２リンク１Ａ、１Ｂを枢支部１Ｃで連結して折畳み自在なリンク１を形成し、第１リンク１Ａの先端をドア２又は框６の一方に枢支し、第２リンク１Ｂの先端にリンク１を伸ばす方向にテンションをかける駆動手段３を連係すると共に、この駆動手段３と逆向きの抵抗を生ずる緩衝手段４を併せて第２リンク１Ｂの先端に連係し、リンク１が略への字状に折曲した状態でロックされるストッパ５を配設し、他方、リンク１の適所に枢支された移動子１０が当接離脱自在なガイド７をドア２と框６の残りに装着して、その移動子１０へのリンク１を伸ばす方向の衝撃でストッパ５が解除されるように連係し、かつ、その際に移動子１０が回動自在にガイド７に枢支されると共に、ストッパ５によりリンク１が略への字状にロックされた状態で移動子１０がガイド７より離脱可能として成ることを特徴とするドアクローザ装置。
【請求項２】
ドア２が閉じられた状態でリンク１が扁平なへの字状に屈曲していることを特徴とする請求項１に記載のドアクローザ装置。
【発明の詳細な説明】
【技術分野】
【０００１】
本発明は、ドアが急速に閉じようとしても、ゆっくりとしかも最後までキッチリと閉じるためのドアクローザ装置に関するものである。
【背景技術】
【０００２】
一般にドアは閉め際にバタンと閉まる衝撃を和らげるドアローザが装着されることが多い。しかし従来から用いられているものは、リンクでドアと框を連結し、リンクをばねで閉じる方向に付加し、エアシリンダ等でこれを緩和して衝撃を吸収しながらバタンと閉じるのを防ぐようにしているが、一般的に重量が大きく、玄関ドアのような大型で堅牢な構造のドアには設置ができても、室内の軽量なドアでは設置が困難であり、またドアが閉まった状態でも大きく突出して外観が損なわれ、また、閉まり方の調節も困難であった。
【０００３】
これを改良するものとして、特許文献１のようにダンパーとリンクでステーを動作させ、ステーの先端をガイドに対応させておき、突出したステーの先端がガイドに案内されてたものがあったが、このものは、ドアが閉じる際にブレーキを掛けてバタンと閉まる衝撃を緩和するものではあるが、最後までキチンと密着して閉じ辛く、殊に最終段階ではダンパーの利きが災いして戸辺り等から押し返される傾向が出る欠点があった。
【０００４】
また、ステーの根元を軸で枢支し、リンクによりダンパーとの結合を反転させてリンクが一定の位置を越えるとステーが引き寄せられてドアがダンパーで引き寄せられて閉じるようになっており、幅の狭いドア框の幅の中でリンクの反転を行わなければならないため、小型のものでは反転のストロークが小さいならざるを得ず、そのためリンクがガイドに当接しても、当たり具合によっては、リンクが閉じずに突っ張る方向に回動することもあって、誤動作が起きやすい欠点があった。更には、閉じた状態でもダンパーとガイドが並列状態に並ぶため、幅方向に重なり嵩張る欠点があった。
【０００５】
【特許文献３】特開２００５−３３６９８３号公報
【発明の開示】
【発明が解決しようとする課題】
【０００６】
本発明は、ドアを静かに最後までキチンと閉めることができ、しかも装置がドアの幅に納めることができる上に、誤動作が少ないドアクローザ装置を提供するものである。
【発明の効果】
【０００７】
本発明は、上述のように構成したものであるから、ドアが閉じるときはダンパーでゆっくりと閉じることができ、しかも、一旦閉じ始めると自動的に最後までピッタリと閉じることができる利点がある。
【０００８】
また、閉じた状態では第１リンクと第２リンクが略一直線上若しくは扁平に伸びた状態となり、ガイドと上下に重なるものであって、幅の狭いドア幅内に納まった状態で閉じられることになり、閉塞時にメカ部分がドアの幅より外に出っ張って違和感を生じさせることを防ぐことができる。
【０００９】
更に、ストッパによりリンクが略への字状に保持された状態でリンクの枢支部がガイドに案内されるため、ガイドに対して常に同じ状態で対応し、位置検出が安定する。
【００１０】
しかもリンクの動きは駆動手段による伸縮（直線運動）をリンクの折畳み（回動運動）に変換するだけであって、回動を反転させる要因がないため、動作の不安定さ、誤動作が生じる余地がない。
【００１１】
また、ドア３が右開き又は左開きのいずれであっても、ガイド７及びリンク１の表裏を反転させるだけで簡単に対応することができる。この場合、ドア３も蝶番等の軸９をどちらの開き方向であっても対応できるように枢支側の側端面に表裏に亘る設置用切込みを施すことにより、両用できるので、無駄な在庫を抱える必要がない。
【発明を実施するための最良の形態】
【００１２】
図１は本発明の１実施例の概略を示すもので、柱８や框６の適所に蝶番などの軸９によりドア２が回動自在に設置されている。ガイド７はドア２の上面に設置されるもので、前方が開口した凹所が施されている。この凹所は傾斜部７Ａ、スライド部７Ｂ、保持部７Ｃが連続している。ここで保持部７Ｃはリンク１が伸び切った状態で移動子１０が外れないように袋状に形成されている。袋状の保持部７Ｃからは、軸９を中心とする円弧に近い傾斜の逃がし斜面７Ｄに連なっている。
【００１３】
他方、上側の框６の下面にはリンク１と駆動手段３、緩衝手段４が設置される。リンク１は第１及び第２リンク１Ａ、１Ｂを枢支部１Ｃで接続したもので、リンク１の適所、例えば枢支部１Ｃにはローラのような移動子１０が装着され、この移動子１０はガイド７に当接可能な位置に設定される。
【００１４】
図示例は駆動手段３と緩衝手段４がケース１１納められたもので、そのケース１１は框６の設置穴１２に埋設される。場合によっては框６の側面に装着しても良い。ここでケース１１には図２、４のように滑動子１３がスライド自在の配設され、バネのような駆動手段３で右方向のテンションが加えられると共に、シリンダに流体が封入された緩衝手段４の出入り自在なロッド１４も滑動子１３に接続されている。
【００１５】
滑動子１３の先端には一対のアーム１５、１５がバネで外に開くように軸１６で枢支され、アーム１５の外側に突設された爪１７がケース１１の切欠１８に係合してストッパ５が形成されている。ここで第２リンク１Ｂの先端は軸１９でこのアーム１５、１５で掴まれていて滑動子１３に連係されている。第１リンク１Ａの先端は軸２０で框６に枢支されている。２１は柱８などに施されたドア２の当たり部材である。
【００１６】
図４（ａ）は切欠１８に爪１７が係合してストッパ５が利き、駆動手段３及び緩衝手段４はその動きが制止されているが、軸１９に右方向の力が所定大きさ以上に加わると、同図（ｂ）のようにストッパ５が外れて駆動手段３と緩衝手段４が作動を開始することになる。ここで図３（ａ）のようにストッパ５が効いているときは、第１及び第２リンク１Ａ、１Ｂは略への字状にやや折れ曲がった状態に保持されている。尚、図示例は、駆動手段３、緩衝手段４及びストッパ５を単一のケース１１に納めてあるが、これらは別個に独立したものを連係させても構わない。尚、移動子１０はリンク１の枢支部１Ｃとは別の適所に装着することができる。
【００１７】
尚、本発明において、上記とは逆に図３のように上部の框６にガイド７を、他をドア２の上端面に入れ替えて装着しても構わない。ストッパ５も、所定の外力がリンク１の何処かに加わるまでは駆動手段３が制止され、所定以上の外力が加わればロックが解除されるものであれば、他の任意の形態のものでも構わない。また、図５のように、第１及び第２リンク１Ａ、１Ｂをブーメラン状にやや折れ曲がったものとしても良い。
【００１８】
（動作の説明）
図５は本発明の動作を説明するもので、（ａ）はドア２が開いた状態であって、ストッパ５が利いて、リンク１は略への字状になっている。この状態でドア２を閉じると、がガイド７に対向して傾斜部７Ａを経てスライド部７Ｂに当接すると、第２リンク１Ｂの先端が右に移動してストッパ５のロックが解除される。
そうすると、同図（ｂ）のように駆動手段３で右方向に引っ張られ、その力により、移動子１０はスライド部７Ｂに沿って転がりながら移動し、これにより更にリンク１直線状に限りなく近くなってドア２は同図（ｃ）のように閉じられる。
【００１９】
このようにドア２が閉まって行く時、駆動手段３が作用するが、併せて緩衝手段４によりブレーキが掛かりながら閉まって行くので、勢い良くドア２が閉じられた時でも、バタンと閉まることなく、ゆっくりと閉じられる。そして緩衝手段４に抗して駆動手段３は作動を続けるので、一旦ドア２が閉じ始めると、後は自動で最後までキッチリと閉じるのである。またこの際、この閉じた状態で第１及び第２リンク１Ａ、１Ｂは直線状に伸びても良いが、扁平なへの字になるようにしておくと、ドア２は戸当たり２１に押し付ける力が加わり、ドア２の一種のロック作用も行える。
【００２０】
図５（ｃ）の状態から閉じたドア２を開く時は、上記とは逆に移動子１０がガイド７の袋状の保持部７Ｃに軸支されて同図（ｂ）を経て同図（ａ）のように今度は三角形の高さが高く戻り、ストッパ５がロックされた後、移動子１０がスライド部７Ｂを経てガイド７の開口部より開放され、後は自由にドア２は開かれることになる。
【００２１】
尚、ガイド７の保持部７Ｃに軸９を中心とする円弧に近似した傾斜の逃がし斜面７Ｄを連設しておくと、移動子１０が保持部７Ｃとの係合が外れると引っ掛かりがなくなるため、軽い力でドアを開けることができる。
【産業上の利用可能性】
【００２２】
閉じたときに出っ張りが少なく、出っ張りにより外観を損なうことが少なく、また、伸縮装置の大きなストロークを用いているにも拘らず、リンクの伸縮によりドアに緩やかな緩衝作用を与えて衝撃のない閉じ方を与え、静かなドアの閉じ操作が行え、静かな環境を達成できる。そしてその駆動は、直線運動をリンクの伸縮に変換しているため、リンクの変形が、伸縮手段が縮めばリンクが伸び、逆に伸縮手段が伸びればリンクが縮むというように、一意的に変形が伝わるため、ブレによる誤動作が起こる惧れがなく、安全である。
【００２３】
緩衝手段のみならず、駆動手段を併用しているので、ドアは一旦閉まり始めると後は戸当たりなどに密着するまで最後までキッチリと閉じることができる。したがってリンクのドアが閉まった状態で扁平なへの字状を保持するようにしておくと、従来のドアキャッチャーなどを省略することも可能となる。
【００２４】
また、リンクの三角形の頂部が作用点になるため、閉じる動作に移行する段階で、直線状のステーのように動作に入る際にブレがなく、動作の安定性が大きく、誤動作のないドアクローザーを提供できる。
【図面の簡単な説明】
【００２５】
【図１】本発明の一部を省略し破断した概略分解斜視図。
【図２】同上の一部を省略し破断した概略正面図。
【図３】同上の他の実施例の一部を省略し破断した概略正面図。
【図４】同上の伸縮手段の一例の平面図で、（ａ）はロック状態、（ｂ）はその解除状態を示す。
【図５】同上のリンクの他の実施例の平面図。
【図６】同上の作用説明図で、（ａ）から（ｃ）は閉じる過程を示し、その逆は開く過程である。
【図７】同上のガイドの詳細な作用説明図。
【符号の説明】
【００２６】
１はリンク
１Ａは第１リンク
１Ｂは第２リンク
１Ｃは枢支部
２はドア
３は駆動手段
４は緩衝手段
５はストッパ
６は框
７はガイド
７Ａは傾斜部
７Ｂはスライド部
７Ｃは保持部
１０は移動子
【図１】
2009108653.tif 000003
【図２】
2009108653.tif 000004
【図３】
2009108653.tif 000005
【図４】
2009108653.tif 000006
【図５】
2009108653.tif 000007
【図６】
2009108653.tif 000008
【図７】
2009108653.tif 000009